【事件の表示】
　特願２００１−３１１４９３「通信機能付腕時計装置、情報表示方法、制御プログラム及び記録媒体」拒絶査定不服審判事件〔平成１４年　９月１１日出願公開、特開２００２−２５７９５５〕について、次のとおり審決する。
【結　論】
　本件審判の請求は、成り立たない。
【理　由】
第１　手続の経緯
　本願は、平成１２年１２月２５日にされた出願（特願２０００−３９３６３３号）に基づく優先権を主張して平成１３年１０月９日にされた特許出願（特願２００１−３１１４９３号）であって、平成１８年３月１０日付け（発送日：同月１４日）で拒絶査定がなされ、これに対して、同年４月１３日に拒絶査定不服審判請求がなされるとともに、同年５月１０日付けで明細書を補正対象とする手続補正書（以下、この手続補正書による補正を「平成１８年５月１０日付け補正」といい、また「本件補正」ともいう。）が提出されたものである。
　
第２　平成１８年５月１０日付け補正についての補正の却下の決定
　
１　補正の却下の決定の結論
　平成１８年５月１０日付け補正を却下する。
　
２　補正の却下の決定の理由
（１）本件補正の内容
　本件補正は、特許請求の範囲を次のように補正する内容を含むものである。
　
ア　本件補正前の特許請求の範囲
　「【請求項１】　機械的に駆動される時表示部材を有し、時の表示を前記時表示部材によって行う時計モジュールと、
　外部の無線装置との間でデータの送受信を無線通信により行い、前記データを記憶する無線通信回路部と、
　前記データに対応する情報を表示させるべく前記時表示部材に表示動作を行わせるデータ表示部と、を具備した通信機能付腕時計装置であって、
　前記無線通信回路部は、外部の無線装置からの信号を受信し、この受信した信号から前記無線通信回路部を作動状態にするための電源電圧を生成する電源電圧生成部を備え、
　前記時計モジュールは、当該時計モジュールを駆動する電源と、前記電源の電圧を変圧することにより、前記無線通信回路部を作動状態にするための電源電圧を得て、この電源電圧を前記無線通信回路部に供給する電源電圧供給手段と、を備え、
　前記データ表示部は、前記無線通信回路部が前記無線装置から信号を受信した場合には、当該無線通信回路部の前記電源電圧生成部で生成された電源電圧によって作動状態となった無線通信回路部からデータを読み出し、前記時表示部材にて表示動作を行わせるための指令信号を受けた場合には、前記時計モジュールの前記電源電圧供給手段から電源電圧を前記無線通信回路部に供給し、作動状態となった当該無線通信回路部からデータを読み出す
　ことを特徴とする通信機能付腕時計装置。
　【請求項２】　請求項１記載の通信機能付腕時計装置において、
　前記時計モジュールは、前記時の表示に対応した時刻信号を生成するための第１基準クロックを作成する第１基準クロック生成手段と、前記無線通信回路部を動作させるための第２クロック信号を前記第１基準クロックに基づいて作成する第２基準クロック作成手段と、を備え、
　前記データ表示部は、指令信号を受けた場合には、前記電源電圧供給手段の電源電圧および前記第２基準クロックを前記無線通信回路部に供給する
　ことを特徴とする通信機能付腕時計装置。
　【請求項３】　請求項１または請求項２記載の通信機能付腕時計装置において、
　前記データの値と予め決められた所定データの値とを比較し比較結果データを生成する比較部を備え、
　前記データ表示部は、前記データに対応する情報として、前記比較結果データに対応する情報を表示する
　ことを特徴とする通信機能付腕時計装置。
　【請求項４】　請求項１ないし請求項３のいずれかに記載の通信機能付腕時計装置において、
　前記データ表示部は、前記表示動作時に前記時表示部材を構成する秒針の運針を通常運針と異なる変則運針とする
　ことを特徴とする通信機能付腕時計装置。
　【請求項５】　請求項１ないし請求項４のいずれかに記載の通信機能付腕時計装置において、
　前記無線通信回路部は、前記外部の無線装置の通信圏内において送信されるポーリング信号を受信することにより当該無線装置との間で前記無線通信が可能である旨を表す通信可信号を前記無線装置に送信する
　ことを特徴とする通信機能付腕時計装置。
　【請求項６】　請求項１ないし請求項５のいずれかに記載の通信機能付腕時計装置において、
　前記指令信号は、予め決められた判定サイクル時間毎に時計モジュールから発生する信号であり、或いは当該通信機能付腕時計装置の筐体に設けたスイッチによって発生する信号である
　ことを特徴とする通信機能付腕時計装置。
　【請求項７】　請求項１または請求項２記載の通信機能付腕時計装置において、
　前記データ表示部は、前記表示動作時に前記時表示部材を構成する秒針を報知直前の位置から前記データに対応した量だけ運針させる
　ことを特徴とする通信機能付腕時計装置。
　【請求項８】　請求項１または請求項２記載の通信機能付腕時計装置において、
　前記データ表示部は、前記表示動作時に前記時表示部材を構成する秒針を前記データに対応した位置に移動させる
　ことを特徴とする通信機能付腕時計装置。
　【請求項９】　請求項１または請求項２記載の通信機能付腕時計装置において、
　前記時表示部材は、少なくとも曜日或いは日に対応した表示を行う文字盤を含み、
　前記データ表示部は、前記データに対応する情報について、前記文字盤により前記曜日或いは日に対応した表示とは異なった形態で表示させる
　ことを特徴とする通信機能付腕時計装置。
　【請求項１０】　請求項１または請求項２記載の通信機能付腕時計装置において、
　前記時表示部材として、時刻表示を行うための文字盤とは別個に設けられた曜日あるいは日を表示する他の文字盤と、を備え、
　前記データ表示部は、前記各文字盤により前記データに対応する情報の表示を行う
　ことを特徴とする通信機能付腕時計装置。
　【請求項１１】　請求項１または請求項２記載の通信機能付腕時計装置において、
　前記時表示部材として、計測した時間を表示するストップウオッチ表示を行うためのストップウオッチ指針及びストップウオッチ文字盤を備え、前記ストップウオッチ指針及び前記ストップウオッチ文字盤により前記データに対応する情報の表示を行う
　ことを特徴とする通信機能付腕時計。
　【請求項１２】　請求項３記載の通信機能付腕時計装置において、
　前記データ表示部は、前記データの値が前記所定データの値よりも小さくなったときに前記表示動作を行い、
　前記所定データの値は、前記外部の通信装置から送信される更新信号に基づいて更新される
　ことを特徴とする通信機能付腕時計装置。
　【請求項１３】　請求項１ないし請求項１２のいずれかに記載の通信機能付腕時計装置において、
　前記無線通信回路部は、データの変復調を行う通信部、各部を制御する制御部およびデータを記憶する記憶部を含むＩＣチップを具備した
　ことを特徴とする通信機能付腕時計装置。
　【請求項１４】　請求項７ないし請求項１０のいずれかに記載の通信機能付腕時計装置において、
　前記時計モジュールは、前記表示動作を所定時間行った後に、時刻表示を再開する
　ことを特徴とする通信機能付腕時計装置。
　【請求項１５】　機械的に駆動される時表示部材を有し、時の表示を前記時表示部材によって行う時計モジュールと、
　外部の無線装置との間でデータの送受信を無線通信により行い、前記データを記憶する無線通信回路部と、
　前記データに対応する情報を表示させるべく前記時表示部材に表示動作を行わせるデータ表示部と、を具備し、
　前記無線通信回路部は、外部の無線装置からの信号を受信し、この受信した信号から電源電圧を生成する電源電圧生成部を備え、
　前記時計モジュールは、当該時計モジュールを駆動する電源と、前記電源の電圧を変圧して得た電源電圧を前記無線通信回路部に供給する電源電圧供給手段と、を備えた通信機能付腕時計装置の情報表示方法であって、
　前記無線通信回路部が前記無線装置から信号を受信した場合には、当該無線通信回路部の前記電源電圧生成部が電源電圧を生成するステップと、
　前記データ表示部が、前記電源電圧生成部の電源電圧を受けて作動状態となった無線通信回路部からデータを読み出すステップと、
　指令信号を受けた場合には、前記時計モジュールの前記電源電圧供給手段が電源電圧を前記無線通信回路部に供給するステップと、
　前記データ表示部が、前記電源電圧供給手段からの電源電圧を受けて作動状態となった当該無線通信回路部からデータを読み出すステップと、を具備した
　ことを特徴とする通信機能付腕時計装置の情報表示方法。
　【請求項１６】　機械的に駆動される時表示部材を有し、時の表示を前記時表示部材によって行う時計モジュールと、
　外部の無線装置との間でデータの送受信を無線通信により行い、前記データを記憶する無線通信回路部と、
　前記データに対応する情報を表示させるべく前記時表示部材に表示動作を行わせるデータ表示部と、を具備し、
　前記無線通信回路部は、外部の無線装置からの信号を受信し、この受信した信号から電源電圧を生成する電源電圧生成部を備え、
　前記時計モジュールは、当該時計モジュールを駆動する電源と、前記電源の電圧を変圧して得た電源電圧を前記無線通信回路部に供給する電源電圧供給手段と、を備えた通信機能付腕時計装置をコンピュータにより制御するための制御プログラムであって、
　前記無線通信回路部が前記無線装置から信号を受信した場合には、当該無線通信回路部の前記電源電圧生成部が電源電圧を生成し、前記データ表示部が、前記電源電圧生成部の電源電圧を受けて作動状態となった無線通信回路部からデータを読み出し、
　指令信号を受けた場合には、前記時計モジュールの前記電源電圧供給手段が電源電圧を前記無線通信回路部に供給し、前記データ表示部が、前記電源電圧供給手段からの電源電圧を受けて作動状態となった当該無線通信回路部からデータを読み出す
　ことを特徴とする制御プログラム。
　【請求項１７】　請求項１６に記載の制御プログラムを記録したことを特徴とする記録媒体。」
　
イ　本件補正後の特許請求の範囲
　「【請求項１】　機械的に駆動される時表示部材を有し、時の表示を前記時表示部材によって行う時計モジュールと、
　外部の無線装置との間でデータの送受信を無線通信により行い、前記データを記憶する無線通信回路部と、
　前記データに対応する情報を表示させるべく前記時表示部材に表示動作を行わせるデータ表示部と、を具備した通信機能付腕時計装置であって、
　前記無線通信回路部は、外部の無線装置からの信号を受信し、この受信した信号から前記無線通信回路部を作動状態にするための電源電圧を生成する電源電圧生成部を備え、
　前記時計モジュールは、当該時計モジュールを駆動する電源と、前記電源の電圧を変圧することにより、前記無線通信回路部を作動状態にするための電源電圧を得て、この電源電圧を前記無線通信回路部に供給する電源電圧供給手段と、前記時の表示に対応した時刻信号を生成するための第１基準クロックを生成する第１基準クロック生成手段と、前記無線通信回路部を作動させるための第２基準クロック信号を前記第１基準クロックに基づいて生成する第２基準クロック生成手段と、を備え、
　前記データ表示部は、前記無線通信回路部が前記無線装置から信号を受信した場合には、当該無線通信回路部の前記電源電圧生成部で生成される電源電圧を前記無線通信回路部に供給すると共に、前記第２基準クロック生成手段で生成される第２基準クロック信号を前記無線通信回路部に供給し、作動状態となった当該無線通信回路部からデータを読み出す
　一方、前記時表示部材が表示動作を行わせるための指令信号を受けた場合には、前記時計モジュールの前記電源電圧供給手段で生成される電源電圧を前記無線通信回路部に供給すると共に、前記第２基準クロック作成手段で生成される第２クロック信号を前記無線通信回路部に供給し、作動状態となった当該無線通信回路部からデータを読み出す
　ことを特徴とする通信機能付腕時計装置。
　【請求項２】　請求項１記載の通信機能付腕時計装置において、
　前記データの値と予め決められた所定データの値とを比較し比較結果データを生成する比較部を備え、
　前記データ表示部は、前記データに対応する情報として、前記比較結果データに対応する情報を表示する
　ことを特徴とする通信機能付腕時計装置。
　【請求項３】　請求項１または請求項２に記載の通信機能付腕時計装置において、
　前記データ表示部は、前記表示動作時に前記時表示部材を構成する秒針の運針を通常運針と異なる変則運針とする
　ことを特徴とする通信機能付腕時計装置。
　【請求項４】　請求項１ないし請求項３のいずれかに記載の通信機能付腕時計装置において、
　前記無線通信回路部は、前記外部の無線装置の通信圏内において送信されるポーリング信号を受信することにより当該無線装置との間で前記無線通信が可能である旨を表す通信可信号を前記無線装置に送信する
　ことを特徴とする通信機能付腕時計装置。
　【請求項５】　請求項１ないし請求項４のいずれかに記載の通信機能付腕時計装置において、
　前記指令信号は、予め決められた判定サイクル時間毎に時計モジュールから発生する信号であり、或いは当該通信機能付腕時計装置の筐体に設けたスイッチによって発生する信号である
　ことを特徴とする通信機能付腕時計装置。
　【請求項６】　請求項１記載の通信機能付腕時計装置において、
　前記データ表示部は、前記表示動作時に前記時表示部材を構成する秒針を報知直前の位置から前記データに対応した量だけ運針させる
　ことを特徴とする通信機能付腕時計装置。
　【請求項７】　請求項１記載の通信機能付腕時計装置において、
　前記データ表示部は、前記表示動作時に前記時表示部材を構成する秒針を前記データに対応した位置に移動させる
　ことを特徴とする通信機能付腕時計装置。
　【請求項８】　請求項１記載の通信機能付腕時計装置において、
　前記時表示部材は、少なくとも曜日或いは日に対応した表示を行う時刻表示機構を含み、
　前記データ表示部は、前記データに対応する情報について、前記時刻表示機構により前記曜日或いは日に対応した表示とは異なった形態で表示させる
　ことを特徴とする通信機能付腕時計装置。
　【請求項９】　請求項１記載の通信機能付腕時計装置において、
　前記時表示部材として、時刻表示を行うための時刻表示機構とは別個に設けられた曜日あるいは日を表示する日付表示機構を備え、
　前記データ表示部は、前記時刻表示機構または前記日付表示機構により前記データに対応する情報の表示を行う
　ことを特徴とする通信機能付腕時計装置。
　【請求項１０】　請求項１記載の通信機能付腕時計装置において、
　前記時表示部材として、計測した時間を表示するためのストップウオッチ表示機構を備え、前記ストップウオッチ機構により前記データに対応する情報の表示を行う
　ことを特徴とする通信機能付腕時計装置。
　【請求項１１】　請求項２記載の通信機能付腕時計装置において、
　前記データ表示部は、前記データの値が前記所定データの値よりも小さくなったときに前記表示動作を行い、
　前記所定データの値は、前記外部の通信装置から送信される更新信号に基づいて更新される
　ことを特徴とする通信機能付腕時計装置。
　【請求項１２】　請求項１ないし請求項１１のいずれかに記載の通信機能付腕時計装置において、
　前記無線通信回路部は、データの変復調を行う通信部と、各部を制御する制御部およびデータを記憶する記憶部と、を含むＩＣチップを具備した
　ことを特徴とする通信機能付腕時計装置。
　【請求項１３】　請求項６ないし請求項９のいずれかに記載の通信機能付腕時計装置において、
　前記時計モジュールは、前記表示動作を所定時間行った後に、時刻表示を再開する
　ことを特徴とする通信機能付腕時計装置。
　【請求項１４】　機械的に駆動される時表示部材を有し、時の表示を前記時表示部材によって行う時計モジュールと、
　外部の無線装置との間でデータの送受信を無線通信により行い、前記データを記憶する無線通信回路部と、
　前記データに対応する情報を表示させるべく前記時表示部材に表示動作を行わせるデータ表示部と、を具備し、
　前記無線通信回路部は、外部の無線装置からの信号を受信し、この受信した信号から電源電圧を生成する電源電圧生成部を備え、
　前記時計モジュールは、当該時計モジュールを駆動する電源と、前記電源の電圧を変圧して得た電源電圧を前記無線通信回路部に供給する電源電圧供給手段と、前記時の表示に対応した時刻信号を生成するための第１基準クロックを生成する第１基準クロック生成手段と、前記無線通信回路部を作動させるための第２基準クロック信号を前記第１基準クロックに基づいて生成する第２基準クロック生成手段と、を備えた通信機能付腕時計装置の情報表示方法であって、
　前記無線通信回路部が前記無線装置から信号を受信した場合には、当該無線通信回路部の前記電源電圧生成部で生成される電源電圧を前記無線通信回路部に供給すると共に、前記第２基準クロック信号生成手段で生成される第２基準クロック信号を前記無線通信回路部に供給し、
　一方、前記時表示部材が表示動作を行わせるための指令信号を受けた場合には、前記時計モジュールの前記電源電圧供給手段で生成される電源電圧を前記無線通信回路部に供給すると共に、前記第２基準クロック作成手段で生成される第２クロック信号を前記無線通信回路部に供給するステップと、
　作動状態となった当該無線通信回路部からデータを読み出すステップと、を具備した
　ことを特徴とする通信機能付腕時計装置の情報表示方法。
　【請求項１５】　機械的に駆動される時表示部材を有し、時の表示を前記時表示部材によって行う時計モジュールと、
　外部の無線装置との間でデータの送受信を無線通信により行い、前記データを記憶する無線通信回路部と、
　前記データに対応する情報を表示させるべく前記時表示部材に表示動作を行わせるデータ表示部と、を具備し、
　前記無線通信回路部は、外部の無線装置からの信号を受信し、この受信した信号から電源電圧を生成する電源電圧生成部を備え、
　前記時計モジュールは、当該時計モジュールを駆動する電源と、前記電源の電圧を変圧して得た電源電圧を前記無線通信回路部に供給する電源電圧供給手段と、前記時の表示に対応した時刻信号を生成するための第１基準クロックを生成する第１基準クロック生成手段と、前記無線通信回路部を作動させるための第２基準クロック信号を前記第１基準クロックに基づいて生成する第２基準クロック生成手段と、を備えた通信機能付腕時計装置をコンピュータにより制御するための制御プログラムであって、
　前記無線通信回路部が前記無線装置から信号を受信した場合には、当該無線通信回路部の前記電源電圧生成部で生成される電源電圧を前記無線通信回路部に供給すると共に、前記第２基準クロック信号生成手段で生成される第２基準クロック信号を前記無線通信回路部に供給し、
　一方、前記時表示部材が表示動作を行わせるための指令信号を受けた場合には、前記時計モジュールの前記電源電圧供給手段で生成される電源電圧を前記無線通信回路部に供給すると共に、前記第２基準クロック作成手段で生成される第２クロック信号を前記無線通信回路部に供給し、作動状態となった当該無線通信回路部からデータを読み出す
　ことを特徴とする制御プログラム。
　【請求項１６】　請求項１５に記載の制御プログラムを記録したことを特徴とする記録媒体。」
　
（２）新規事項の追加について
　上記補正事項のうち、本件補正により請求項１に追加された「（前記時計モジュールは、）・・・前記時の表示に対応した時刻信号を生成するための第１基準クロックを生成する第１基準クロック生成手段と、前記無線通信回路部を作動させるための第２基準クロック信号を前記第１基準クロックに基づいて生成する第２基準クロック生成手段と、を備え、（前記データ表示部は、前記無線通信回路部が前記無線装置から信号を受信した場合には、）・・・前記第２基準クロック生成手段で生成される第２基準クロック信号を前記無線通信回路部に供給し、」との技術事項について検討する。
　当該技術事項は、補正後の請求項１に係る発明について、時計モジュールが、時刻信号を生成するための第１基準クロックを生成する第１基準クロック生成手段と、第１基準クロックに基づき第２基準クロックを生成する第２基準クロック生成手段を備えること、及び、データ表示部が、無線信号を受信した場合には第２基準クロック信号を無線通信回路部に供給するものであることを特定するものである。
　これに対し、本願の願書に最初に添付した明細書又は図面には、以下の記載がある。
ア　「時計用制御部１４は、ＣＰＵ、ＲＯＭ、ＲＡＭ等のマイクロコンピュータによって構成されている。ＲＯＭ内には、第１基準クロックＣＬＫ１に基づいて生成される時刻信号によって秒針駆動部１５および時分針駆動部１６等を制御するためのプログラムが格納されている。さらにＲＯＭ内には、非接触ＩＣモジュール６０からの信号或いは外部操作入力部２１の操作を受けて、例えば１．０［ＭＨｚ］の周波数を有する第２基準クロックＣＬＫ２を生成して非接触ＩＣモジュール６０に供給する第２基準信号作成処理、非接触ＩＣモジュール６０のデータ残量の判定を行う判定処理（後述する使用形態では残金不足報知処理）等を行うプログラムが格納されている。」（段落【００２１】）
イ　「［１．２．２］  非接触ＩＣモジュールの構成
次に、非接触ＩＣモジュール６０の電気的な構成について、図５に基づいて説明する。・・・
整流回路６２は、外部送受信装置１００からの誘導磁界（ポーリング信号）がループアンテナ５および同調用コンデンサ６を介して信号として受信されると、この信号を整流して得た電源電圧Ｖbを駆動部Ａに印加するものである。また、整流回路６２は、ダイオードによって構成することにより、半波整流或いは全波整流の電源電圧Ｖbを出力する。このため、非接触ＩＣモジュール６０は電源を備えることなしに、駆動部Ａを駆動することが可能となる。
・・・第３基準信号作成部６３は、ループアンテナ５および同調用コンデンサ６を介して受信された信号から第３基準クロックＣＬＫ３（例えば、１３．５６ＭＨｚ）を生成し、ＳＰ／ＰＳ変換部６６およびＩＣ用制御部６７に出力するものである。ここで、この復調部６４は、ループアンテナ５および同調コンデンサ６を介して受信した信号を変調し、ＳＰ／ＰＳ変換部６６でパラレル信号に変換してＩＣ用制御部６７に送信するものである。変調部６５は、ＩＣ用制御部６７からＳＰ／ＰＳ変換部６６を介してシリアル変換された送信データを変調して同調コンデンサ６およびループアンテナ５に供給するものである。なお、ＳＰ／ＰＳ変換部６６は、第３基準信号作成部６３から出力される基準クロック信号に基づいて駆動される。
・・・ＩＣ用制御部６７は、第３基準信号作成部６３からの第３基準クロックＣＬＫ３に基づいて各種制御を行うものである。」（段落【００２５】ないし【００２８】）
ウ　「［１．４．１］  残金不足報知処理
次に、図８のフローチャートを参照しつつ、時計モジュール１０によって行われる残金不足報知処理について説明する。この残金不足処理は、予め決められた判定サイクル時間ＴＳＰ毎に定期的に行われる。・・・タイマが判定サイクル時間ＴＳＰに達した場合（ステップＳａ２；ＹＥＳ）、時計用制御部１４は、電池２２からの電源電圧Ｖａを変圧した電源電圧Ｖbを非接触ＩＣモジュール６０に供給する。この電源供給と共に、時計用制御部１４は、第１基準クロックＣＬＫ１に基づいて生成された第２基準クロックＣＬＫ２を非接触ＩＣモジュール６０に出力する（ステップＳａ３）。
・・・非接触ＩＣモジュール６０は、電源電圧Ｖbおよび第２基準クロックＣＬＫ２を受けて作動状態になる。」（段落【００３５】及び【００３６】）
エ　「図１４に基づき、残金表示処理について説明する。この処理は、ユーザが残量表示スイッチ２１を操作することによって開始される(ステップＳｃ１）。この残量表示スイッチ２１が操作されることにより、時計用制御部１４は、電池２２からの電源電圧Ｖbを非接触ＩＣモジュール６０に供給すると共に、第１基準クロックＣＬＫ１に基づいて生成された第２基準クロックＣＬＫ２を非接触ＩＣモジュール６０に出力する(ステップＳｃ２）。非接触ＩＣモジュール６０は、電源電圧Ｖbおよび第２基準クロックＣＬＫ２を受けて作動状態になる。
・・・時計用制御部１４は、残金データＤａに応じた秒針が移動する移動量を時刻カウンタ１４Ａにセットし、・・・これにより、秒針４０を用いて残金データＤａに対応した残金表示を行う（ステップＳｃ５）。そして、時計用制御部１４は、非接触ＩＣモジュール６０への電源電圧Ｖbおよび第２基準クロックＣＬＫ２の供給を停止する（ステップＳｃ６）。」（段落【００４９】及び【００５０】）
　
　上記アの「非接触ＩＣモジュール６０からの信号或いは外部操作入力部２１の操作を受けて、例えば１．０［ＭＨｚ］の周波数を有する第２基準クロックＣＬＫ２を生成して非接触ＩＣモジュール６０に供給する第２基準信号作成処理」との記載及び上記エの「時計用制御部１４は、非接触ＩＣモジュール６０への電源電圧Ｖbおよび第２基準クロックＣＬＫ２の供給を停止する」との記載から、第２基準クロックＣＬＫ２は、非接触ＩＣモジュール６０に常時供給されるものではなく、必要に応じて供給されるものであることが読み取れる。
　また、上記イの記載から、ループアンテナ５が信号を受信した場合には、第３基準信号作成部６３が第３基準クロックＣＬＫ３を生成し、ＳＰ／ＰＳ変換部６６及びＩＣ用制御部６７は第３基準クロックＣＬＫ３により動作するものであることが読み取れる。
　さらに、上記ウ及びエには、第２基準クロックＣＬＫ2により非接触ＩＣモジュール６０を作動させることが記載されているが、上記ウ及びエの記載は、それぞれ、「残金不足報知処理」及び「残金表示処理」についてのものであって、これらの処理は、それぞれ、「タイマが判定サイクル時間ＴＳＰに達した場合」及び「ユーザが残量表示スイッチ２１を操作する」場合に行われる処理として記載され、ループアンテナ５が信号を受信した場合に行われる処理としては記載されていない。
　そうすると、願書に最初に添付した明細書又は図面には、ＳＰ／ＰＳ変換部６６及びＩＣ用制御部６７を含む非接触ＩＣモジュール６０の駆動部Ａには、ループアンテナ５が信号を受信した場合には、第３基準クロックＣＬＫ３を供給することが記載されているのみであって、上述したとおり、第２基準クロックＣＬＫ２は、非接触ＩＣモジュール６０に常時供給されているものでもないから、ループアンテナ５が信号を受信した場合にも、非接触ＩＣモジュール６０の駆動部Ａに第２基準クロックＣＬＫ２を供給することが自明であるとはいえない。よって、上記補正事項後段における「（前記データ表示部は、前記無線通信回路部が前記無線装置から信号を受信した場合には、）・・・前記第２基準クロック生成手段で生成される第２基準クロック信号を前記無線通信回路部に供給し、」との技術事項は、願書に最初に添付した明細書又は図面に記載されたものではなく、また、それらの記載から当業者において自明な事項でもない。
　
　この点について、請求人は、審判請求書の請求の理由の欄において、上記補正事項後段の部分は、段落番号００３５及び００３６の記載を根拠に補正した旨の説明をしているが（審判請求書を補正対象とする平成１８年５月１０日付け手続補正書の５ページ下から２行−６ページ９行）、段落【００３５】及び【００３６】には、上記ウで摘記したように、予め決められた判定サイクル時間ＴＳＰ毎に定期的に行われる残金不足処理について記載されているのであって、上記したとおり、無線通信回路部が無線装置から信号を受信した場合の処理ではないから、請求人がした補正の根拠についての説明も採用できない。
　
　よって、本件補正は、願書に最初に添付した明細書又は図面に記載した事項の範囲内においてしたものとすることはできないから、平成１８年法律第５５号による改正前の特許法（以下、単に「特許法」という。）第１７条の２第３項の規定に違反するものである。
　
（３）むすび 
　以上のとおり、本件補正は、特許法第１７条の２第３項の規定に違反するので、特許法第１５９条第１項において読み替えて準用する同法第５３条第１項の規定により却下すべきものである。
　
第３　本願発明
　平成１８年５月１０日付け補正は、上記のとおり却下されたので、本願の請求項１ないし１７に係る発明は、平成１６年１０月７日付け、及び平成１７年１２月１６日付け手続補正書により補正された明細書及び図面の記載からみて、その特許請求の範囲の請求項１ないし１７に記載された事項により特定されるとおりのものと認められるところ、本願の請求項１に係る発明（以下「本願発明」という。）は次のとおりのものである。
　
　「【請求項１】　機械的に駆動される時表示部材を有し、時の表示を前記時表示部材によって行う時計モジュールと、
　外部の無線装置との間でデータの送受信を無線通信により行い、前記データを記憶する無線通信回路部と、
　前記データに対応する情報を表示させるべく前記時表示部材に表示動作を行わせるデータ表示部と、を具備した通信機能付腕時計装置であって、
　前記無線通信回路部は、外部の無線装置からの信号を受信し、この受信した信号から前記無線通信回路部を作動状態にするための電源電圧を生成する電源電圧生成部を備え、
　前記時計モジュールは、当該時計モジュールを駆動する電源と、前記電源の電圧を変圧することにより、前記無線通信回路部を作動状態にするための電源電圧を得て、この電源電圧を前記無線通信回路部に供給する電源電圧供給手段と、を備え、
　前記データ表示部は、前記無線通信回路部が前記無線装置から信号を受信した場合には、当該無線通信回路部の前記電源電圧生成部で生成された電源電圧によって作動状態となった無線通信回路部からデータを読み出し、前記時表示部材にて表示動作を行わせるための指令信号を受けた場合には、前記時計モジュールの前記電源電圧供給手段から電源電圧を前記無線通信回路部に供給し、作動状態となった当該無線通信回路部からデータを読み出す
　ことを特徴とする通信機能付腕時計装置。」
　
第４　引用例
　原査定の拒絶の理由に引用された、本願の出願前に頒布された刊行物である特開平９−３１１９２０号公報（以下「引用例」という。）には、図面とともに次の事項が記載されている。
　
（１）「【０００２】【従来の技術】非接触データキャリアを用いたシステムは一般的に図７（当審注：「図６」の誤記。）で示される。８は非接触データ担体との間で情報の授受を行う質問器、９は非接触データキャリアであり、質問器８から伝送された指令に対して処理を行い、データを返送するもので、応答器とも呼ばれる。この非接触データキャリア９は、質問器８との間で、電波を受信送信するためのアンテナ９１、受信した電波を復調し、デジタル信号に変換する変復調回路９２、質問器からの指令の内容により非接触データキャリア９内のメモリ９４に記憶された内容の読み出し、書き込みを行う。さらに、制御部９３にて返信用のデータ列に変換、変復調回路９２で変調した後、非接触データキャリア９は、アンテナ９１から前記指令に対する処理結果を示す応答情報を返送する。このような構成により、メモリ９４に記憶された情報を照合することでデータキャリア保持者のＩＤ確認等を行う機能、またメモリ９４の内容を逐次書き換えることでプリペイド等としての機能も持たせることができる。さらに、電波等の非接触媒体を用いて情報の授受を行うため、従来から一般的に使用されている接触式カードと比較して、使用時にカードケースから取出し、質問器であるリーダライタに挿入する手順を踏む必要がなく、使い勝手が良いという特徴も有している。このため入出門管理、スキー場のリフト搭乗券等に加えて、バス、電車等の乗車券・定期券として幅広い分野で利用されている。」
　
（２）「【００１１】【課題を解決するための手段】上記目的を達成するために本発明の非接触データキャリアは、時計用電子回路モジュール、表示器および電池から構成される時計部と、アンテナ、変復調回路、制御部およびメモリからなる非接触データキャリア部とを有し、前記時計部と前記非接触データキャリア部とを一体化し、これを腕時計の形態としており、表示器および電池を時計、非接触データキャリアの両方で共用することで、非接触データキャリアを利便性よく、携帯性よく実現できる。」
　
（３）「【００１３】【発明の実施の形態】以下、本発明の非接触データキャリア一実施の形態について図面を参照しながら説明する。図１は本発明における非接触データキャリアのブロック図であり、図２はその外観図である。図１において、１１は時計用電子回路モジュール、１２は時刻を表示する表示器、１３は前記電子回路モジュール１１および表示器１２を駆動する電池であり、これらは時計部１を構成する。さらに２１はアンテナ、２２は変復調器、２３は制御部、２４はメモリであり、これらは非接触データキャリア部２を構成する。電池は非接触データキャリア部にも供給され、また非接触データキャリア部２のデータを表示器１２で表示できるように構成されている。図２に示すように、前記時計部１および非接触データキャリア部は１つの筐体内に収容され、腕時計の形態とされる。
【００１４】【実施例】以上の様に構成された非接触データキャリアの具体的な構成をスキー場のリフト搭乗券に適用した場合について図１を参照して説明する。質問器（図示せず）から送出された電波による信号を、非接触データキャリアは、アンテナ２１で受信する。受信した電波を変復調回路２２により復調し、デジタル化された信号とする。制御部２３は、デジタル化された信号を解読し、メモリ２４の内部に記憶されたＩＤ番号の読み出しを行う。このＩＤ番号は、制御部２３により返信用のデータ列に変換された後、変復調回路２２で変調され、アンテナ２１から質問器へ送信される。質問器は、この信号を受信復調し、ＩＤ番号を読み出しを行う。ＩＤ番号が質問器に登録されていれば、正規のデータキャリアとして認識し、上記と同様の方法によってデータの授受を継続し、非接触データキャリア部２はメモリ２４の内容のうち、回数券部分の利用可能回数を１回減算して書き換える。一方、質問器は、データの書き換えが終了したことを示す信号を非接触データキャリア部２から受信した後、スキーリフトのゲートを開く。
【００１５】使用者が利用可能回数を確認するときは、アンテナ２１を表示器１２の表面から起こすことによって、制御部２３がメモリ２４に記憶された内容の読み出しを行い、利用残高を表示器１２に表示する。また、秒針を有する時計に形成した場合には、秒針が一時的に文字盤の数字を示した位置で止まり、その数字が利用残高を示す構成とする。この時、１２より大きい数字を示す必要のある場合は、図４に示すように文字盤の数字に残高用の数字を併記することにより、より多くの数字の表示可能となる。・・・
【００１６】上記の通信および表示には時計用の電池１３が共用されており、非接触データキャリア専用には電池は必要としない。また、通信距離が短い場合は、質問器から受信した電波を整流することにより、非接触データキャリア用の電源は確保できる。さらに、時計の表示器の表面に対し、アンテナを起こし、非接触データキャリアへの電源が供給されており、こうして初めて、長距離の通信が可能となる。アンテナを時計の表示器の表面より起こすことにより、アンテナの磁束通過面の金属部分の影響を少なくでき、長距離通信に効果的である。
【００１７】・・・これにより、非接触データキャリア部２を使用しないとき、および短距離で通信するときには、非接触データキャリア部２に電源は供給されず省電力化がはかられ、・・・およびメモリの内容を表示したいときのみ電源が供給されることになる。」
　
（４）図面の図２に描かれた外観図から、時刻を表示する表示器１２として機械的に駆動される表示器を備えるものが読み取れる。
　
　引用例の上記摘記事項（１）ないし（４）からみて、引用例には、次の発明（以下「引用発明」という。）が記載されているものと認められる。
　
　「機械的に駆動される時刻を表示する表示器１２を有し、表示器１２によって時刻を表示する時計部１と、
　質問器８との間で情報の接受を電波の受信送信により行い、メモリ２４の内容を書き換える非接触データキャリア部２と、
　メモリ２４に記憶された内容の読み出しを行い、利用残高を表示器１２に表示する制御部２３を具備した腕時計の形態の非接触データキャリアであって、
　前記非接触データキャリア部２は、質問器８から受信した電波を整流することにより、非接触データキャリア用の電源を確保し、
　前記時計部１は、時計部１の電子回路モジュール１１及び表示器１２を駆動する電池１３を備え、電池１３は非接触データキャリア部２にも供給され、
　アンテナ２１を表示器１２の表面から起こすことによって、制御部２３がメモリ２４に記憶された内容の読み出しを行い、利用残高を表示器１２に表示し、
　表示には時計用の電池１３が共有されており、非接触データキャリア専用には電池は必要としないものであり、通信距離が短い場合は、質問器８から受信した電波を整流することにより非接触データキャリア部用の電源は確保され、非接触データキャリア部２を使用しないとき、及び短距離で通信するときには、非接触データキャリア部２に電源が供給されない腕時計の形態の非接触データキャリア。」
　
第５　対比
　本願発明と引用発明を対比する。
１　引用発明の「機械的に駆動される時刻を表示する表示器１２」、「時計部１」、「質問器８」、「電波の受信送信」、「メモリ２４の内容を書き換える」、「非接触データキャリア部２」、「腕時計の形態の非接触データキャリア」及び「電池１３」は、それぞれ、本願発明の「機械的に駆動される時表示部材」、「時計モジュール」、「外部の無線装置」、「無線通信」、「前記データを記憶する」、「無線通信回路部」、「通信機能付腕時計装置」及び「当該時計モジュールを駆動する電源」に相当する。
２　引用発明の「制御部２３」の「メモリ２４に記憶された内容の読み出しを行い、利用残高を表示器１２に表示する」制御を行う部分は、本願発明の「前記データに対応する情報を表示させるべく前記時表示部材に表示動作を行わせるデータ表示部」に相当する。
３　引用発明は、「前記非接触データキャリア部２は、質問器８から受信した電波を整流することにより、非接触データキャリア用の電源を確保し」ているから、引用発明の「非接触データキャリア部２」には、本願発明の「外部の無線装置からの信号を受信し、この受信した信号から前記無線通信回路部を作動状態にするための電源電圧を生成する電源電圧生成部」に相当するものが存在するということができる。
４　引用発明の「電池１３は非接触データキャリア部２にも供給され」ることと、本願発明の「前記電源の電圧を変圧することにより、前記無線通信回路部を作動状態にするための電源電圧を得て、この電源電圧を前記無線通信回路部に供給する電源電圧供給手段」とは、ともに、「前記無線通信回路部を作動状態にするための電源電圧を得て、この電源電圧を前記無線通信回路部に供給する電源電圧供給手段」を有するものである点において共通する。
５　引用発明の「通信距離が短い場合は、質問器８から受信した電波を整流することにより非接触データキャリア部用の電源は確保され」ることは、本願発明において、「前記無線通信回路部が前記無線装置から信号を受信した場合には、当該無線通信回路部の前記電源電圧生成部で生成された電源電圧によって、作動状態となった無線通信回路部」とすることに相当する。
６　引用発明の「アンテナ２１を表示器１２の表面から起こすこと」は、本願発明の「前記時表示部材にて表示動作を行わせるための指令信号を受けた場合」に相当し、引用発明の「制御部２３がメモリ２４に記憶された内容の読み出しを行い」が本願発明の「無線通信回路部からデータを読み出す」に相当する。
　
　してみると、本願発明と引用発明とは、以下の一致点で一致し、以下の相違点で相違する。
　
（一致点）
「機械的に駆動される時表示部材を有し、時の表示を前記時表示部材によって行う時計モジュールと、
　外部の無線装置との間でデータの送受信を無線通信により行い、前記データを記憶する無線通信回路部と、
　前記データに対応する情報を表示させるべく前記時表示部材に表示動作を行わせるデータ表示部と、を具備した通信機能付腕時計装置であって、
　前記無線通信回路部は、外部の無線装置からの信号を受信し、この受信した信号から前記無線通信回路部を作動状態にするための電源電圧を生成する電源電圧生成部を備え、
　前記時計モジュールは、当該時計モジュールを駆動する電源と、前記電源により、前記無線通信回路部を作動状態にするための電源電圧を得て、この電源電圧を前記無線通信回路部に供給する電源電圧供給手段と、を備え、
　無線通信回路部は、前記無線通信回路部が前記無線装置から信号を受信した場合には、当該無線通信回路部の前記電源電圧生成部で生成された電源電圧によって作動状態となり、
　前記データ表示部は、前記時表示部材にて表示動作を行わせるための指令信号を受けた場合には、前記時計モジュールの前記電源電圧供給手段から電源電圧を前記無線通信回路部に供給し、作動状態となった当該無線通信回路部からデータを読み出す通信機能付腕時計装置。」
　
（相違点１）
　「無線通信回路部を作動状態にするための電源電圧を得」るに、本願発明では、「時計モジュールを駆動する電源の電圧を変圧すること」によるのに対し、引用発明では、電源の電圧を変圧する構成を具備していない点。
　
（相違点２）
　本願発明が、データ表示部は、無線通信回路部が無線装置から信号を受信した場合には、無線回路部からデータを読み出すのに対し、引用発明では、「制御部２３」の「メモリ２４に記憶された内容の読み出しを行い、利用残高を表示器１２に表示する」制御を行う部分は、非接触データキャリア部２が質問器８から信号を受信した場合に、非接触データキャリア部からデータを読み出すとはされていない点。
　
第６　判断
　上記相違点について検討する。
１．相違点１について
　時計の技術分野において、複数の構成要素で電源電池を共用するにあたり、一の構成要素に印加する電源電圧をその動作電圧に応じて適宜変圧して用いることは、例えば、特開平７−５２７８号公報に「【０００４】電池８５は定電圧回路８６によって、１．５Ｖ以下の一定電圧に変換され、この一定電圧は発振部８１と分周部８２とに加えられ、電圧変動による発振周波数への影響を取り除いている。一方、表示駆動部８３には電池８５の電圧がそのまま加えられている。」と記載され、また、特開昭５１−７２４７０号公報に「（１）共通の電源電池を有し最低動作電圧値に差がある要素の組み合わせで構成された電子時計において、最も高い電圧値で動作不能となる要素に合せて他の要素の通常作動電圧を低減させる電圧降下素子を、該他の要素の電源端子に付加したことを特徴とする電子時計。」（１ページ左下欄、特許請求の範囲）と記載されるごとく従来周知の技術（以下「周知技術Ａ」という。）である。
　引用発明についても、上記周知技術Ａを適用し、非接触データキャリア部２に印加する電池１３の電圧を適宜変圧して用いることに格別の困難性はない。
　
２．相違点２について
　通信機能を有する非接触のＩＣモジュールの技術分野において、通信時にデータを表示する技術は、例えば、特開平１１−１２０３１２号公報に、「【０００８】・・・本発明に係るＩＣカードは、平板状のカード基材と、上記カード基材の内部に配置されたＩＣモジュールと、上記ＩＣモジュールと外部装置との送受信を媒介する送受信媒介手段とを有するＩＣカードにおいて、上記カード基材には表示装置が固定されており、上記ＩＣモジュールは、データを記憶する記憶手段と、上記外部装置からの送信に基づいてデータの演算処理および／または上記記憶手段へのデータの記録を行う制御手段と、上記記憶手段に記録されたデータに相当する情報を上記表示装置に表示させる表示装置制御手段とを備えることを特徴とする。【０００９】上記ＩＣカードによれば、外部装置からの送信に基づいて制御手段が記憶手段にデータを記録し、記憶手段に記録されたデータに相当する情報を表示装置制御手段が表示装置に表示させる。従って、表示内容は更新可能である。また、データの追記または書換と連動して、表示装置の表示内容の更新が行われる」と記載され、また、特開２０００−３３９４２３号公報に「【０００９】この発明の無線式記録媒体は、利用情報が記録され、上記無線通信機器との無線データ通信を行うものにおいて、上記無線通信機器から送信される駆動電力を受信して動作し、上記無線通信機器へ記録内容を送信する送信手段、この送信手段により送信した記録内容に対する上記無線通信機器での処理結果を受信した際に、上記処理結果を示す情報を表示する第１の表示手段、・・・から構成されている。」及び「【００５５】・・・ＣＰＵ１１は、書込データを再度読込んで、再読込データをリーダ／ライタ２０に送信する・・・。この送信した再読込データに対してリーダ／ライタ２０から再読込データが正しいことが通知されると、ＣＰＵ１１は、上記表示内容を表示部２に表示する」と記載されるごとく従来周知である（以下「周知技術Ｂ」という。）。
　そうすると、引用発明に上記周知技術Ｂを適用して、上記制御部２３の表示器１２に表示する制御を行う部分が、通信時にもメモリ２４に記憶したデータの内容を非接触データキャリア部２から読み出すごとく構成し、相違点２に係る本願発明の構成とすることに格別の困難性はない。
　
　そして、本願発明の奏する効果も、引用例の記載、並びに周知技術Ａ及び周知技術Ｂに基づいて当業者が予測可能な範囲内のものである。
　したがって、本願発明は、引用発明並びに周知技術Ａ及び周知技術Ｂに基づいて当業者が容易に発明をすることができたものである。
　
第７　むすび
　以上のとおりであるから、本願の請求項１に係る発明は、特許法第２９条第２項の規定により特許を受けることができない。
　そして、請求項１に係る発明が特許を受けることができないものであるから、その余の請求項について論及するまでもなく、本願は、拒絶すべきものである。
　なお、原査定が、備考欄において、引用文献１の記載事項を摘記し、当該摘記事項を引用文献１の記載事項として認定した点について、引用文献１である特開平６−６６９６３号公報には、備考欄で摘記した事項についての記載はなく、引用文献２（特開平９−３１１９２０号公報）の誤記であることがその摘記事項の内容から明らかであるところ、請求人も、平成１８年５月１０日に提出の手続補正書により補正された審判請求書の請求の理由において、引用文献２の上記摘記事項についての反論を行っていることからも、請求人には引用文献２に基づく拒絶の理由について検討し反論する十分な機会が与えられており、改めて意見書を提出する機会を与える必要を認めない。
　よって、結論のとおり審決する。